(57)【要約】【課題】運転者が駐車スペースの空満を遠方からでも容易に視認することができ、装置の構成が簡易で安価に設置でき、しかも既存の駐車場に容易に設置可能な駐車場駐車スペース空満表示装置を提供する。【解決手段】駐車場駐車スペース空満表示装置は、駐車場の駐車スペース（１、２）の地面に設置され、光ビーム（３）を出射する光源（４）と、駐車場の個々の駐車スペース（１、２）の上部に位置し、光ビーム（３）が照射されると駐車場内を走行する自動車から視認可能に、照射された光ビーム（３）を散乱させる散乱体（６）と、を備え、光ビーム（３）は、自動車が駐車している場合には自動車によって遮断され自動車が駐車していない場合には散乱体（６）によって散乱されることを特徴とする。【選択図】図１
0003167023.tif 000002
【実用新案登録請求の範囲】
【請求項１】
駐車場の駐車スペースの地面に設置され、光ビームを出射する光源と、
駐車場の個々の駐車スペースの上部に位置し、前記光ビームが照射されると駐車場内を走行する自動車から視認可能に、照射された前記光ビームを散乱させる散乱体と、
を備え、
前記光ビームは、自動車が駐車している場合には自動車によって遮断され自動車が駐車していない場合には前記散乱体によって散乱される
ことを特徴とする駐車場駐車スペース空満表示装置。
【請求項２】
前記光源は、駐車スペースの地表面近傍に埋設されている
ことを特徴とする請求項１に記載の駐車場駐車スペース空満表示装置。
【請求項３】
前記光源は、駐車スペースの中央の地表面上に取り付けられている
ことを特徴とする請求項１に記載の駐車場駐車スペース空満表示装置。
【請求項４】
前記光源は、平行化された光ビームを出射可能なＬＥＤまたは半導体レーザである
ことを特徴とする請求項１に記載の駐車場駐車スペース空満表示装置。
【請求項５】
前記光源の電源は、前記光源と一体的に設けられている電池である
ことを特徴とする請求項４に記載の駐車場駐車スペース空満表示装置。
【請求項６】
前記散乱体は、自動車が通過する駐車場の通路の側の上部にある既設の構造体に設けられる
ことを特徴とする請求項１に記載の駐車場駐車スペース空満表示装置。
【請求項７】
前記散乱体は、その表面にガラス材やプラスチック材等の散乱微粒子体を添付したものである
ことを特徴とする請求項１に記載の駐車場駐車スペース空満表示装置。
【請求項８】
前記散乱体は、駐車場を構成する天井自体である
ことを特徴とする請求項１に記載の駐車場駐車スペース空満表示装置。
【請求項９】
前記散乱体は、照射された前記光ビームを散乱させる散乱体部と、照射された前記光ビームを反射させ反射光を生成する反射体部とを有し、
自動車が通過する駐車場の通路の側の地面に設置され、前記反射体部によって反射された前記反射光を受光し散乱させる第２散乱体を備える
ことを特徴とする請求項１に記載の駐車場駐車スペース空満表示装置。
【請求項１０】
前記反射体部は、反射された前記反射光が前記第２散乱体に届くように、前記散乱体部とは異なる傾斜面を有する
ことを特徴とする請求項９に記載の駐車場駐車スペース空満表示装置。
【考案の詳細な説明】
【考案の属する技術分野】
【０００１】
本考案は、駐車場における駐車スペースの空満を表示する駐車場駐車スペース空満表示装置に関する。
【従来の技術】
【０００２】
駐車場に自動車を駐車しようとする場合に、案内人がいない場合には、自動車をゆっくり走らせながら駐車スペースを目で探し、空車スペースの近くに来てから初めて空車スペースがあることを確認し、駐車することが行われている。
【０００３】
これに対して、駐車場の駐車スペースの地面に光源を設置し、その駐車スペースに自動車が駐車した場合にその光源による光線が駐車した自動車によって遮られ、遮られた結果を示す信号を駐車場の入口近辺に設置された表示装置に伝送し表示しておき、これによって駐車場に入場する自動車に空車スペースの位置を知らせることが提案されている（特許文献１）。
【０００４】
また、駐車場内の駐車スペースの反通路側に立設された壁面にＬＥＤ等の光源を設置し通路側の上部位置にその光源からの光線を反射する凸面鏡を設置し、駐車スペースに自動車が駐車した場合には自動車によって光線が遮断されて凸面鏡に光線が届かないようにしておき、凸面鏡からの反射光を視認できる場合には空車スペースであると確認できるようにし、駐車スペースを探す運転手は凸面鏡から反射される反射光を探すようにして駐車スペースを探すようにしたシステムが提案されている（特許文献２）。
【特許文献１】特開平３−１８３０００号公報
【特許文献２】実開平５−２５５９９号公報
【考案の概要】
【考案が解決しようとする課題】
【０００５】
しかしながら、特許文献１にあっては、駐車スペースに自動車が駐車したことを示す信号をシステム的に伝送し表示する必要が有る等、伝送装置の配備等、装置がおおがかりになる問題があった。
【０００６】
また、特許文献２にあっては、駐車スペースの反通路側に立設された壁面に光源を設置する必要があり、駐車スペースの配列方向に立設された壁面が存在しないオ−プンスペース的な駐車場には適用できないという問題があった。また、立設された壁面に光源を設置したり通路側の上部位置に凸面鏡を設置したりする必要があり、装置がおおがかりになり高価になるという問題があった。
【０００７】
そこで、本考案の目的は、上記従来技術の有する問題を解消し、運転者が駐車スペースの空満を遠方からでも容易に視認することができ、装置の構成が簡易で安価に設置でき、しかも既存の駐車場に容易に設置可能な駐車場駐車スペース空満表示装置を提供することである。
【課題を満足するための手段】
【０００８】
上記目的を達成するために、本願発明の駐車場駐車スペース空満表示装置は、駐車場の駐車スペースの地面に設置され、光ビームを出射する光源と、駐車場の個々の駐車スペースの上部に位置し、前記光ビームが照射されると駐車場内を走行する自動車から視認可能に、照射された前記光ビームを散乱させる散乱体と、を備え、前記光ビームは、自動車が駐車している場合には自動車によって遮断され自動車が駐車していない場合には前記散乱体によって散乱されることを特徴とする。
【０００９】
また、前記光源は、駐車スペースの地表面近傍に埋設されていることを特徴とする。
【００１０】
また、前記光源は、駐車スペースの中央の地表面上に取り付けられていることを特徴とする。
【００１１】
また、前記光源は、平行化された光ビームを出射可能なＬＥＤまたは半導体レーザであることを特徴とする。
【００１２】
また、前記光源の電源は、前記光源と一体的に設けられている電池であることを特徴とする。
【００１３】
また、前記散乱体は、自動車が通過する駐車場の通路の側の上部にある既設の構造体に設けられることを特徴とする。
【００１４】
また、前記散乱体は、その表面にガラス材やプラスチック材等の散乱微粒子体を添付したものであることを特徴とする。
【００１５】
また、前記散乱体は、駐車場を構成する天井自体であることを特徴とする。
【００１６】
また、前記散乱体は、照射された前記光ビームを散乱させる散乱体部と、照射された前記光ビームを反射させ反射光を生成する反射体部とを有し、自動車が通過する駐車場の通路の側の地面に設置され、前記反射体部によって反射された前記反射光を受光し散乱させる第２散乱体を備えることを特徴とする。
【００１７】
また、前記反射体部は、反射された前記反射光が前記第２散乱体に届くように、前記散乱体部とは異なる傾斜面を有することを特徴とする。
【考案の効果】
【００１８】
本考案の構成によれば、運転者が駐車スペースの空満を遠方からでも容易に視認することができ、装置の構成が簡易で安価に設置でき、しかも既存の駐車場に容易に設置可能な駐車場駐車スペース空満表示装置を提供することである。
【図面の簡単な説明】
【００１９】
【図１】本考案の第１の実施の形態に説明図。
【図２】本考案の第２の実施の形態に説明図。
【図３】図２における散乱体の構成例を示す図。
【図４】図２における散乱体の他の構成例を示す図。
【図５】図２における散乱体のさらに他の構成例を示す図。
【図６】本考案の第３の実施の形態に説明図。
【考案の実施の形態】
【００２０】
以下に図１を参照して本考案に係る駐車場駐車スペース空満表示装置の第１の実施の形態について説明する。  
図１において、駐車場駐車スペース空満表示装置は、駐車場の駐車スペース１、２の地面に設置され光ビーム３を出射する光源４と、駐車場内の通路を走行する自動車から視認可能に駐車場の上部位置に設けられ光ビーム３が照射されて散乱させる散乱体６とを備えている。
【００２１】
図１において、駐車スペース１には自動車が駐車されておらず、駐車スペース２には自動車が駐車されている状態を示す。駐車スペース２におけるように自動車が駐車している場合には、光ビーム３は自動車の底部によって遮断され、駐車スペース２に対応する散乱体６には光ビーム３が届かないので散乱体６は回りに光りを発することない。駐車スペース１におけるように、自動車が駐車していない場合には、光ビーム３は自動車によって遮断されないので散乱体６へ届き、光ビーム３は散乱体６によって散乱され、散乱体６が点灯しているかのように回りに光りを発する。
【００２２】
駐車場内の通路を走行する自動車の運転手は、散乱体６が点灯していることを視認することによって、空車の駐車スペースの位置を確認することができる。  
また、散乱体６は駐車場の上部位置に設けられているので、駐車場の入口付近からも空車の駐車スペースの位置を確認することができ、空車の駐車スペースの位置を探すために無方針に通路を走行する必要をなくすことができる。
【００２３】
光源４は、赤色または青色の平行化された光ビーム３を出射可能なＬＥＤである。光源４をＬＥＤで構成することによって、コンパクトで寿命が長く、安価に提供することができる。なお、光源４をＬＥＤに代えて、半導体レーザとすることも可能である。ＬＥＤまたは半導体レーザの電源はＬＥＤ等と一体的に組み込まれた電池であり、光源４を点灯するための外部の電源に接続する必要はなく、装置を簡易に構成することができる。
【００２４】
光源４は、駐車スペース１、２の地表面近傍に埋設されている。この場合には、光源４が地表面に突出していないので、人の歩行や自動車の駐車に邪魔になることはない。光源４がＬＥＤや半導体レーザである場合には、電源である電池を含めて、既存の駐車場のコンクリート面等の地面に浅い小さい穴を形成するだけで容易に設置することができる。
【００２５】
なお、光源４は、駐車スペース１、２の中央の地表面上に取り付けることも可能である。駐車スペース１、２の中央に設置することによって、地表面上であっても人の歩行や自動車の駐車にさほど邪魔になることはない。また、光源４を地表面上に設置することによって、既存の駐車場の地面に穴をあける必要もなく、より簡易に既存の駐車場に駐車場駐車スペース空満表示装置を設けることが可能になる。
【００２６】
次に散乱体６について説明する。  
散乱体６は、例えば、半球形状のベース体にガラス材やプラスチック材の散乱用の多数個の微粒体を接着剤等で接着して貼り付けて半球体状に構成することができる。散乱用の多数個の微粒体を貼り付ける代わりに、微少凹凸のある表面体をメッキ等を行って構成してもよい。
【００２７】
なお、半球体状の代わりに、平面状に構成することも可能であり、散乱体６を平面状に構成することによって安価に提供することが可能である。特に、狭い駐車場の場合には、散乱体６を平面状に構成しても、駐車場の入口近傍から散乱体６の点灯の有無を視認することが可能である。
【００２８】
また、散乱体６は、自動車が通過する駐車場の通路の側の上部にある既設の構造体に設けられる。散乱体６を取り付ける構造体としては、例えば駐車場の天井部材や横に架設された枠体を用いることができ、これによって、既設の駐車場に新たな大きな工事を行うことなく、駐車場駐車スペース空満表示装置を設けることが可能になる。
【００２９】
以上、本実施の形態によれば、駐車場内の通路を走行する自動車の運転手は、散乱体６が点灯していることを視認することによって、空車の駐車スペースの位置を確認することができる。
【００３０】
また、駐車場駐車スペース空満表示装置は、駐車場の駐車スペース１、２の地面に設置され光ビーム３を出射する光源４と、駐車場内の通路を走行する自動車から視認可能に駐車場の上部位置に設けられ光ビーム３が照射されて散乱させる散乱体６とで簡易に構成することができるので、既存の駐車場に対しても容易に安価に設置することが可能である。
【００３１】
次に、図２乃至図５を参照して、本考案に係る駐車場駐車スペース空満表示装置の第２の実施の形態について説明する。  
本実施形態においては、光ビーム３が照射されて散乱させる散乱体７は、光源４によって照射された光ビーム３を散乱させる散乱体部７ａと、照射された光ビーム３を反射させ反射光を生成する反射体部７ｂとを有する。散乱体部７ａは第１実施形態の場合の散乱体６と同様に構成することができる。反射体部７ｂは、例えば鏡面メッキ等によって鏡状に形成されている。
【００３２】
また、自動車が通過する駐車場の通路の側の地面には、散乱体７の反射体部７ｂによって反射された反射光を受け、散乱させる第２散乱体８が設けられている。第２散乱体８は散乱体７のほぼ真下に設けられている。
【００３３】
散乱体７は光ビーム３の照射範囲に渡る面積を有し、散乱体７における散乱体部７ａと反射体部７ｂとの分布は、図３に示すように、単純に左右に二分して分布させることができる。反射体部７ｂは、光ビーム３が反射体部７ｂに反射されて第２散乱体８に届くように、設置される例えば天井の面に対し傾斜しており、散乱体部７ａとは異なる傾斜面を構成している。この傾斜面としては、反射体部７ｂに反射されて第２散乱体８に届くように、凹面鏡的な傾斜面である場合も含まれる。
【００３４】
なお、散乱体７における散乱体部７ａと反射体部７ｂとの分布は、図４に示すように、格子状に交互に分布させるようにしてもよい。この場合においても、各々の反射体部７ｂは光ビーム３が反射体部７ｂに反射されて第２散乱体８に届くように散乱体部７ａとは異なる傾斜面を構成している。この場合、散乱体７における散乱体部７ａの有効面積を大きくすることができるので、遠方からでも散乱体部７ａを視認することが容易になる。
【００３５】
また、図５に示すように、散乱体７を浅い凸球面状に形成し、散乱体７における散乱体部８ａと反射体部７ｂとを互いにリング状に分布させてもよい。この場合において、散乱体部８ａは浅い凸球面状の面上のリング面として形成されているのに対し、反射体部７ｂについては、反射体部７ｂによる反射光が第２散乱体８に届くように、反射体部７ｂのリング面が傾斜面として散乱体部８ａに対し傾斜して形成されている。
【００３６】
以上、本実施形態の構成によれば、散乱体７は散乱体部７ａと反射体部７ｂとから構成され、反射体部７ｂで反射された反射された反射光を受光し散乱させる第２散乱体８が駐車場の通路の側の地面に設置されているので、駐車場の道路８を走行する運転者は、上部にある散乱体部７と地面にある第２散乱体８との両方によって、駐車スペースの有無を確実にかつ容易に確認することができる。
【００３７】
次に、図６を参照して、本考案に係る駐車場駐車スペース空満表示装置の第３の実施の形態について説明する。  
本実施の形態においては、駐車場を構成する天井９自体に光ビーム３が直接的に照射され散乱体としての散乱体領域１０が形成される。このために、天井９は微細な凹凸形状の表面を有し、例えば白色的な色を有するようにする。駐車スペースに自動車が駐車していない場合に、散乱体領域１０が赤色や青色等の有色の光ビーム３によって有色の散乱体領域１０を形成し空車であることを視認することができる。
【００３８】
また、光ビーム３を平行化してもよいが、平行化する代わりに少し拡散させることによって大きな面積の散乱体領域１０を形成することが可能になる。第１の実施の形態の場合におけるように、別体としての散乱体６を設けないので、光源４をパワーを多少大きくする等によって安価に容易に散乱体領域１０を大きな面積にすることが可能になる。これによって、駐車場駐車スペース空満状態を視認することを容易にすることができる。
【００３９】
本実施形態によれば、駐車場を構成する天井９自体に散乱体領域１０が形成されるので、既存の駐車場に容易に駐車場駐車スペース空満表示装置を設けることが可能になる。
【符号の説明】
【００４０】
１、２  駐車スペース
３  光ビーム
４  光源
５  通路
６  散乱体
７  散乱体
７ａ  散乱体部
７ｂ  反射体部
８  第２散乱体
９  天井
１０  散乱体領域
【図１】
0003167023.tif 000003
【図２】
0003167023.tif 000004
【図３】
0003167023.tif 000005
【図４】
0003167023.tif 000006
【図５】
0003167023.tif 000007
【図６】
0003167023.tif 000008